(57)【特許請求の範囲】
【請求項１】
関節ボルト（４）によって互いに結合される２本のペンチ脚部（２、３）を備え、２本のペンチ脚部（２、３）の交叉部の上側にはペンチの咥え口（Ｍ）、２本のペンチ脚部（２、３）の交叉部の下側には２つの握り部分（７、８）が形成される片手操作が可能なペンチであって、
ばね区間（ａ）と剛体区間（ｂ’）を含むばね（１４）からなり、ばね区間（ａ）は一方のペンチ脚部（３）と結合しており、剛体区間（ｂ’）は他方のペンチ脚部（２）と結合しており、ペンチの咥え口（Ｍ）を開放位置に押し広げるばね駆動要素（１２）と、
剛体区間（ｂ’）のために他方のペンチ脚部（２）上に備えられた回転ストッパ（１９）と、
を備え、
２本のペンチ脚部（２、３）のいずれか一方が、ペンチの咥え口（Ｍ）側に歯形形状の歯の窪み（１１）を含む長穴（９）を有し、
２本のペンチ脚部（２、３）を閉じると、ペンチの咥え口（Ｍ）の２つの咥え部（５、６）は互いに移動し、２つの咥え部（５、６）が部品を咥えると、関節ボルト（４）の爪（１０）が歯形形状の歯の窪み（１１）に噛み合い、それによってペンチの咥え口（Ｍ）の２つの咥え部（５、６）のいずれか一方を関節ボルト（４）の回りに荷重を加えて回転させることができ、
作動していない状態では、剛体区間（ｂ’）は他方のペンチ脚部（２）上に備えられた回転ストッパ（１９）と噛み合っており、一方のペンチ脚部（３）を部品を咥えることによりペンチの咥え口（Ｍ）が閉じる位置に移動させて、ペンチの咥え口（Ｍ）の２つの咥え部（５、６）が部品を噛むような力を作用させた後にのみ剛体区間（ｂ’）は回転ストッパ（１９）から離れることを特徴とするペンチ（１）。
【請求項２】
剛体区間（ｂ’）が連接板（２７）を含み、その一端にばね区間（ａ）が固定され、他端は他方のペンチ脚部（２）に回転できるように取り付けられることを特徴とする請求項１に記載のペンチ。
【請求項３】
連接板（２７）が対となって形成され、両方の連接板（２７）を離して設けることによって、ばね（１４）およびばね固定のための空間を作ることを特徴とする請求項２に記載のペンチ。
【請求項４】
ばね区間（ａ）が渦巻きばね（２５）によって形成されることを特徴とする請求項１乃至３のいずれか１項に記載のペンチ。
【請求項５】
ばねの固定が、回転アームばねとして形成されているばね（１４）のコイル（１７）のコイル層を貫通し連接板（２７）に固定される支持ピン（２９）によって達成されることを特徴とする請求項３に記載のペンチ。
【請求項６】
ばね区間（ａ）がクリップアーム（３３、３３’）およびクリップ曲り部（３３”）を有するクリップばね（Ｂ）として形成され、クリップアーム（３３、３３’）が剛体区間（ｂ’）によって回転可能に他方のペンチ脚部（２）に支持されることを特徴とする請求項１又は２に記載のペンチ。
【請求項７】
クリップアーム（３３、３３’）が、剛体区間（ｂ’）に異なった支点（１６’、１６”）によって支持されることを特徴とする請求項６に記載のペンチ。
【請求項８】
ばね区間（ａ）がクリップアーム（３３、３３’）およびクリップ曲り部（３３”）を有するクリップばね（Ｂ）として形成され、クリップ曲り部（３３”）が剛体区間（ｂ’）によって回転可能に他方のペンチ脚部（２）に支持されることを特徴とする請求項１又は２に記載のペンチ。
【請求項９】
クリップアーム（３３、３３’）が、一方のペンチ脚部（３）に異なった支点（１５’、１５”）によって支持されることを特徴とする請求項８に記載のペンチ。
【請求項１０】
剛体区間（ｂ’）にばね（１４）と共同作用するストッパ（４２）が形成されることを特徴とする請求項８又は９に記載のペンチ。
【発明の詳細な説明】
【０００１】
【発明の属する技術分野】
本発明は、関節ボルトによって互いに結合される２本のペンチ脚部を備え、ペンチ脚部の交叉部の上側にはペンチの咥え口、ペンチ脚部の交叉部の下側には握り部分が形成される片手操作が可能な自己挟持式ペンチに関するものである。
【０００２】
【従来の技術】
一方のペンチ脚部は、ペンチの咥え口の大きさを変えるため他方のペンチ脚部に対して相対的に調整できるように交叉部に空間を有し、その空間は他方のペンチ脚部が貫通するかまたは調整できないペンチ脚部が調整できるペンチ脚部によって貫通され、さらにペンチ脚部はペンチの咥え口を開放位置に押し広げる操作要素およびばね駆動要素によって結合され、開放位置は握り部分を緩めると自動的にばね力が伝達され、ばね駆動要素の最初の移動区間でペンチの咥え口の咥え部は互いに移動し、２番目の移動区間で関節ボルトの爪がラッチの歯形に噛み合い、それによって関節ボルトの回りに動くことのできるペンチ咥え口の咥え部を、荷重を加えて回転させることができる。
【０００３】
【本発明が解決しようとする課題】
本発明の課題は、この種のペンチを構造的に機能的に改善することである。
【０００４】
【課題を解決するための手段】
この課題は先ず本質的に請求項１の特徴を有するペンチによって解決され、ここでばね駆動要素は両方のペンチ脚部によって支えられたばねによって形成され、ペンチ脚部が広がって互いに離れた位置にあっても、またペンチの咥え口の位置が最大の状態になるよう可動ペンチ脚部を操作しても、ペンチ脚部を回すとこのばねが作用するように構成され、片側にはばねの回転支点がペンチ脚部に形成され、その側のばねは作動されない状態ではペンチ脚部に形成された回転ストッパに当たっており、可動ペンチ脚部は咥え口が部品を咥える位置に変位すると、ペンチ咥え口の咥え部が部品に当たる作動力によって、はじめてばねが回転ストッパから解放されることに主眼が置かれる。これは操作要素が一体化された自動荷重システムである。ばねは、ペンチの可動脚部が自由状態にあるとき直ぐに開放位置になるよう予張力が与えられている。ここで、操作要素は両方のペンチ脚部によって指示され、同時にペンチ咥え部を開放位置に広げるばねによって形成されていると有利である。回転ストッパは支持面として形成される。これは成形技術的に簡単に考慮できる。
【０００５】
請求項１の特徴を有するペンチ１は、操作要素がばね区間および剛体区間から構成される。この剛体区間は、ペンチの咥え口に向かって行過ぎることができないように支持される。この解決策において、さらにばね区間を渦巻きばねで形成することを提案する。また中央に丸くない断面で滑ることのできない形状の、閉じた最終コイルを有する板ばねとすることもできる。このとき剛体区間は連接板とし、その片側の端部にばね要素の一端を説明した方法によって固定し、他端は回転できるようにペンチ脚部に取り付け、ここでも行き過ぎないように支持する条件を持たせると有利である。
【０００６】
連接板は対として構成し、両方の連接板を離してばねおよびばねの固定のために空間を持たせると安定上から利点がある。ここでばねの固定は、 ばねのコイルの層を貫通し連接板に固定される支持ピンで行う。ばねは確実に固定される。さらに剛体区間に向いたばね区間を、剛体区間に支持される回転アームばねとして形成したばねとすると好都合である。支持は連接板を自由に切削した舌状体から形成してもよく、代わりに連接板を結合しているようなピンとしてもよい。
【０００７】
ばねがクリップアームおよびクリップ曲がり部を備えたクリップばねで構成されると最小の部品のペンチが得られる。ばねおよび操作要素は一体に形成される。クリップアームまたはクリップ曲がり部は、ペンチ脚部に回転できるように支持された剛体区間によって支持される。ばね駆動要素のばね予張力ならびにばね力自体は、折り曲げたクリップアームの自由端を、 剛体区間またはペンチ脚部の異なった回転軸に回転できるように支持することによって得られる。回転軸間の距離があるため、ペンチ脚部の振れ動きが希望するばね力に変換される。クリップアームは異なる長さに形成される。離れている回転軸によってねじり作用がクリップ曲がり部に生じ、さらに若干のクリップアームの湾曲が生じる。クリップアームは、例えば前もって軽く曲げることによって、 ある程度湾曲した形状とすることができる。湾曲はペンチの咥え口に向かって凸面として形成する。
【０００８】
本発明の対象を以下多くの分かり易い実施例によって説明する。
【０００９】
【発明の実施の形態】
すべての実施態様のペンチ１は２本の互いに交叉しているペンチ脚部２および３を備えている。ペンチ脚部は関節ボルト４を介して互いに関節運動するように結合されている。すべての実施態様のペンチ１は２本の互いに交叉しているペンチ脚部２および３を備えている。ペンチ脚部は関節ボルト４を介して互いに関節運動するように結合されている。
【００１０】
上記のペンチ脚部２、３の関節部分の上側にはペンチの咥え口Ｍがある。関節ボルト４によって決まる交叉部分の下側にペンチ脚部２および３は、縦に長い握り部７、８に変っていく。
【００１１】
関節ボルト４はペンチ脚部２の長穴９を貫通する。関節ボルト４は貫通されるペンチ脚部３に支持される。関節ボルト４は爪１０を備えている。この爪は貫通しているペンチ脚部２の咥え口側にある歯形形状の歯の窪み１１に噛み合う。このラッチ歯形について図２は図１に示す開放された状態を、図６は図５に示された噛み合い状態を示す。長孔９および歯の窪み１１は、 貫通するペンチ脚部の代わりに貫通されるペンチ脚部３に設けてもよい。この場合は貫通されるペンチ脚部３は、添付図面におけるペンチ脚部２の形状のように、ペンチ脚部にペンチの長手の面を横切る、 ２つの互いに離れた歯の窪み１１を有する長穴を設けることだけが異なっている。長穴間の垂直方向の空間に、形状的にはその他の部分は添付図面による、 ペンチ脚部２に対応して形成された貫通するペンチ脚部が挿入される。
【００１２】
咥え口Ｍの大きさを変えるため、対応する差込結合部には適合する空間Ｆが設けられる。これは貫通されるペンチ脚部３に設けられる。
【００１３】
ペンチ１はばね駆動要素１２によって、 咥え口の開いた基本位置に保持される（図１、１１、１７、１８、１９、２０、２２、２４、２６参照）。このためペンチ脚部２、３の間の空間に、 ばね駆動要素１２がペンチ脚部を押し広げるように取り付けられる。最終位置は長穴９の下側端部に当たることによって決定される。
【００１４】
ばね駆動要素１２は図１に点線で示される予張力を備えている。予張力は開放位置にある限り発揮されるが、これに打ち克つことができる。開かれたペンチ脚部２、３を閉じると、移動および回転運動のできるように支持されたペンチ脚部３の咥え部６は、貫通したペンチ脚部２の咥え部５の方向に移動する。これは図３に示されている。従って、ペンチ脚部２、３の握り部７、８を緩めると、説明したばねの荷重によって、 完全に自動で図１による開放位置が得られることが理解できる。
【００１５】
ペンチ脚部２、３の三角隅の部分を横切るかまたは橋渡しするばね駆動要素１２は、 同時に操作要素１３の機能も備えている。操作要素は、貫通しているペンチ脚部２に支えられ、 三角隅の部分に自由に突き出している。これは一種の片持ちはりを形成し、ばね駆動要素１２の最初の運動区間でペンチの咥え口の咥え部５、６を互いに移動させ、２番目の運動区間で関節ボルト４の爪１０をラッチ歯形１１に噛み合わせる。これによって可動式の貫通されたペンチ脚部３またはそのペンチの咥え口の咥え部６を、 関節ボルトの回りに力を加えて回すことができるようになる。このとき重複運動が行なわれる。
【００１６】
ばね駆動要素／操作要素１２／１３の部品は、最初の２つの実施態様においてはばね１４、詳しく言えばアームばねである。
【００１７】
ばね１４はその端部がそれぞれペンチ脚部２、３に支持される。貫通されるペンチ脚部３の支点を１５で示す。これは回転支点である。貫通するペンチ脚部２に設けられた支点を１６とする。支点１５、１６の軸は関節ボルト４の軸と空間的に並行である。
【００１８】
ばね１４またはアームばねは、 異なった２つの作動剛性を示すばね区間を備えている。一つのばね区間ａは弾性が高い。別のばね区間は参照記号ｂを持っている。その弾性は零に近い。このばね区間ｂはペンチ脚部２に配置される。
【００１９】
異なったばね特性は針金の異なったばね部の長さａ、ｂに起因するもので、図１１の実施例のように、一つの（さらに別の）コイル部１７が設けられるかどうかとは無関係である。
【００２０】
両方のほぼ直線状かまたは湾曲して伸びるばね区間ａ、ｂは、 共通のばねコイル部１７から伸び出している。コイルはばね１４の関節ボルト４に向いた側にある。
【００２１】
ばねの支点１５、１６は、 ペンチの咥え口Ｍに対して異なった距離に配置される。長いほうのばね区間ａの支点１５は、 咥え口Ｍに近い方に設けられる。近さは閉じたペンチ１または物体を咥えた場合にもっとはっきりする。対応する物体、例えばパイプは１８の記号を付す（例えば図５参照）。アームばねは、ばねのコイル１７が握り部側へ向かうように変位する。
【００２２】
支点１５、１６および関節ボルトの端部支持位置は安定した支点三角形を形成し、予張力を持つばね１４による復元力が作用している。基本位置に相当するこの位置関係で、短い方のばね区間ｂは握り脚側で支えられる。回転ストッパとしての支え面に参照記号１９を付ける。短い方のばね区間ｂは、 関節ボルトから離れる方向だけにその支点１６の回りを旋回できる。さらに支え面１９から短い方のばね区間９の支点に近い短部を保持する突起２０が突き出している。さらに短い方のばね区間ｂの旋回運動度は角度が制約される。自由な運動範囲は鋭角とする。鋭角は３０度ないし４０度とする。
【００２３】
第７図からはっきりと分かるように、短い方のばね区間ｂはさらに縁に近い角のストッパ２１に当たる。この区間がさらに旋回するためには抵抗が高く、 ばね１４のばね力を高めることになる。
【００２４】
図９および１０から分かるように、ばね１４にばねのコイル部１７が３層形成されている。このコイル層は荷重によってコイルの端末部が互いに重なり合いばね効果を良好に、すなわち高くする。長い方のばね区間ａに形成された端部は支持穴２２が巻かれて形成される。反対側は曲げられた支持ピン２３が形成される。
【００２５】
第２の実施例によるばね駆動要素１２は原理的に同じ構造である。参照記号は文章の繰り返しなしで準用してある。差異はばね１４に２つのコイル部１７があることである。これらは互いに直接に接続され原則的に８の字を形成する。ここでも短い方のばね区間ｂ用として選定された支持面に１９を付ける。ここでは貫通するペンチ脚部２を横切るのではなく長手方向に伸びる。勿論短い方のばね区間ｂは真直ぐに伸びて形成され、第１の実施例に較べて鈍角的な曲がりを示している。これは予め設定し、角のストッパ２１に当たった場合にもっと明白なばねを示すように形成される。
【００２６】
ここで第３の実施例によるペンチを説明する。ここではばね駆動要素１２を一体に構成する代わりに２分割とする。ここでも参照記号は一部文章による繰り返しなしで準用する。操作要素１２はここではばね区間ａおよび剛体区間ｂ’から構成される。前記に関連して、短いばね区間はほとんどばね作用がない要素となる。
【００２７】
ばね区間ａは端部を除くと渦巻きばね２５である。端部は弱く湾曲し、握り部分７、８から見ると凸形に伸びて支持穴２２に達する。渦巻きばね２５の内側の最終コイルは剛体区間ｂ’に固定される。固定は４角柱２６により行われる。４角柱は連接板２７から横方向に突き出している。連接板２７は渦巻きばね２５のコイル部分を覆い同時にばね室を内蔵するよう、対として形成することができる。
【００２８】
４角柱２７は連接板２７に結合される。連接板２７の他端は貫通するペンチ脚部２に旋回できるように支持され、ここでも説明した支点１６が形成される。この実施例においてもばね駆動要素１２の短い区間、ここでは剛体区間ｂ’がペンチの咥え口Ｍの方向に行き過ぎないように支持する予防処置が採られており、図示されたペンチ脚部２の支持面１９によって実現されている。
【００２９】
説明したペンチの機能は次の通りである。すなわち、ペンチ脚部２、３を閉じることによって、ばね駆動要素１２はそのアームがばね１４の復元力に対抗して鋭いＶ字形に変形される。長い方のばね区間ａは、ペンチ脚部３の形状とほぼ同じ方向の位置に変位する。ペンチの咥え部６はペンチの咥え部５の方向に移動する。これらの咥え部が物体１８を咥えると、ばね１４は握り部分７、８の方向に変形を転換する。これによって歯の窪み１１がラッチ歯形と噛み合う梃子作用を生じさせる。可動性のペンチ咥え口の咥え部６の説明された荷重による回転が、強力な保持力を生じさせる。弾性または剛性である短いほうのばね区間は、このブリッジ状のばねの折曲がり運動に従う。緩めると物体１８は自由になり、ペンチ１はばねの荷重が加えられた、咥える体勢にある開放位置に再び戻る。
【００３０】
ばねはまた有利な方法で作動機能（操作要素１３）に使用される。勿論ばねは想定されるように板ばねとして実現することも可能で、図１７に第４の実施例として示されている。咥え口Ｍが空の状態で閉じられた場合、コイル１７の形（図１８を参照）で蓄えられたばね力を使用して、主として長いばね区間ａだけがばね作用を与える。短い方のばね区間は、実質的に支持面で決められた基本位置に留まったままである。これに対して咥える物体がペンチ１の咥え口Ｍに挟まれるると、弾性または剛性の短い方のばね区間ｂの振れが、長い方のばね区間ａを介して一種の逆方向の推力を生じさせる。
【００３１】
説明したようにほぼＶ字状のばね１４の形状に代わって、Ｓ字状の形状も考えられ（図１８参照）、この場合Ｓ字の途中にばねのコイル１７が設けられる。長い方のばね区間ａは実施例で説明したように調整されるが、短いほうのばね区間ｂは関節短軸４の方向に向いた逆Ｕ字形である。このばね区間はこのため幾分長くなり柔軟性が高まる。この場合は好都合にバランスの取れた長さの割合となり、図示した実施例ではａ：ｂの比は約３：１となる。すべての実施例で、 コイル部の空洞は押しボタン状に結合できる板またはボタンで塞ぐことができる。
【００３２】
図１９に示した第５の実施例において、ペンチ１は第３の実施例と構造的に類似で、ここでも操作要素１３はばね区間ａおよび剛体区間ｂ’の組合せによって形成される。ここで設けられる支持面１９の形の回転ストッパは、ばね駆動要素１２が咥え口から離れる方向への変形移動を確実に行わせる。参照記号は一部文章による繰り返しなしで準用している。
【００３３】
図１９は連接板が対となった配置となっていることが分かる。これは全く同じ形状の輪郭を持って広がりほぼ水滴状である。狭い方の部分にはペンチ脚部２への支点１６が設けられる。
【００３４】
両方の連接板を互いに離すことによって、回転アームバネとして形成されているばね１４のコイル部１７が収納される空間が得られる。ばねのコイル部１７の層はこうして得られたばね室に収納される。ばねの固定は支持ピン２９によって達成される。ピンは対になって設けられた連接板２７を横切り、ばね１４のコイル層を貫通する。支持ピン２９はばねコイル１７の可動性を考慮し、滑りが生じないような寸法が選ばれる。
【００３５】
図１９からさらに分かるように、ばね区間ｂは支点１６まで達しないように形成される。むしろ対になって配置された連接板２７の空間部内で支持される。ばね区間ｂこのため、ばね室を形成する空間を貫通する支持ピン２９と隣り合うピン３０に保持される。ピン２９および３０の端部は連接板２７の板状の部分に固定される。
【００３６】
このような回転アームばねは第６の実施例にも使用される。これは図２０および２１に示される。このばね１４は膝関節状の互いに結合された剛体区間ｂ’に配置される。この膝関節ピンは参照記号３１を持っている。両方の剛体区間ｂ’の互いに離れた端部は支点１５、１６を介して、 ペンチ脚部２、３と旋回可能に結合される。膝関節の曲がめ方向はこの場合も咥え口が離れる方向である。
【００３７】
両方の剛体区間ｂ’は互いに中に入り込むＵ字状の断面に形成される。関節ピン３１の範囲は、その部分の端部がストッパを形成する重なり部となるように注意する。これによってばね１４が作用する両方の剛体区間ｂ’の伸びた位置が決定される。ここでは両方ともａの記号を付けたばね区間は、これによって咥え口から離れる方向に荷重を加えるように剛体区間ｂ’に作用する。
【００３８】
ペンチ脚部２、３またはその握り部７、８を押し広げるばね駆動要素１３は、ここではさらに握り部８に配置されたばね３２によって補強される。このばねは、剛体区間ｂ’が互いに伸びた位置となるような同じ方向に作用する予張力を与える。伸びた位置は、両方の剛体区間ｂ’が伸びた状態で咥え口に向いた開き角度が１８０度より小さくなるように構成する。膝関節状に互いに結合された剛体区間ｂ’は、 咥え口から離れる方向にだけ曲がることができる。膝関節ピン３１は、支点１５および１６の間の死点位置になることはできない。他のすべてのばね駆動要素１２は、例えば握り部側への湾曲した形状または剛体区間ｂ’およびばね区間ａの角度関係によって、咥え口から離れる方向にだけ曲がることができる。
【００３９】
別のばね３２は、支点位置１５を越えて突き出した剛体区間ｂ”に取り付けられる。この剛体区間ｂ”は剛体区間ｂ’と梃子状に形成される。ばね３２は引張ばねである。逆に梃子状の剛体区間ｂ’／ｂ”の短い方のアームに圧縮ばねを取り付けることもできる。ばね３２はペンチ脚部３の空間Ｆに収納すると好都合である。
【００４０】
第７の実施例によるペンチ１（例えば図２２参照）は、ばね１４としてクリップばねＢが設けられる。これは２つのクリップアーム３３、３３’を有している。いわば閉じたＵ字状に形成されるクリップばねＢは、 比較的短く形成されるクリップ曲り部３３”を備えている。クリップアーム３３、３３’は異なった長さである。３３の記号を付けたのは短い方のクリップアームである。寸法の基準はクリップアームと直角の方向にあるクリップ曲り部３３”である。
【００４１】
クリップばねＢはばね駆動要素１２の外、同時にハンドル状の操作要素１３も兼ねる。操作要素はペンチ1の対称面に関して斜めに取り付けられる。第７の実施例においては、クリップ曲り部３３”は両方のクリップアーム３３、３３’の曲がった自由端部よりも咥え口から離れた位置にある。この実施例では、 クリップアーム３３、３３’は３の記号を付けたペンチ脚部に支点を形成するように取り付けられる。クリップ曲り部３３”は２の記号を付けたペンチ脚部に取り付けられる。ペンチ脚部３の支点位置は２箇所である。短い方のクリップアーム３３の支点位置を参照記号１５’で示し、長い方のクリップアーム３３’の支点は１５”である。後者の支点の方が咥え口に近い。
【００４２】
この操作要素１３の他端はＵ字形のクリップ曲り部として形成される。クリップ曲り部３３”はねじりばね棒として作用する。
【００４３】
クリップ曲り部３３”はペンチ脚部２に取り付けられ、長手方向に動くように案内される。これはペンチ脚部２の長穴３４を横切りその中に取り付けられる。長穴３４は、ペンチ１が物体を咥える場合に回避移動ができる長さとする。対応する操作要素１３の変位は容易に想定できるので図示しない。
【００４４】
握り部７、８が近づくにつれて、支点１５、１５’は空間的に互いに変化し、図２２の位置ではまだ鋭角的に広げられているクリップアーム３３、３３’はさらに近づく。このとき生ずる強制的な長さの変化によって、ある程度の予張力を既に与えられていた短い方のクリップアームにはさらにばね力が蓄えられる。この総合力が、握り部７、８を緩めた場合に、常に再び図２２に示される開放位置に戻す。ペンチ脚部２、３が振れ動く場合に、Ｕ形のクリップ曲り部３３”は可動支点１６’としての機能を最初から果たしている。
【００４５】
これは２つの方法で達成される。この点に関して図２２では引張ばね２２が設けられる。このばねはある程度の予張力を持ち、支点１６’に相当するクリップ曲り部３３”を、最初は長穴３４の咥え口側の端部に当たるように保持する。これに応じて同時に、 または先行して爪１０が歯の窪み１１に噛み合う。物体１８が咥えられる。そこで必要なクリップ曲り部３３”の変位が、操作要素１３の支持作用の結果として生じる。クリップ曲り部はスリット状の長穴３４の内部で、握り部７の端部の方向に回避移動する。このとき引張ばね３４の荷重を実際に突然上回ることになる。
【００４６】
さらに別の、意識的に作動できる支持方法を具体化したものを図２２ａに示す。ここではＵ形のクリップ曲り部３３”の支持が形状的に、具体的にはペンチの脚部２の長手方向にクリップ曲り部３３”の下側を受け止める適切な初期支持面３６によって達成される。
【００４７】
図２２において、引張ばね３５はほぼ空間Ｆに対応するペンチの脚部２の空間３７に収納される。この空間３７は長穴３４の全長を超えて伸びている。ばね１４の支持手段は特に詳しくは説明する必要がない。
【００４８】
代替案としてクリップばねＢは、簡単にペンチの脚部２の内側に設けたレールによって案内支持することができる。クリップ曲り部３３”にはこのため適当な案内の形状、例えばクリップばねＢの針金を折り曲げてＷ字状の形状を設ければよい。レールは図２２の開放位置を決める支持突起３８を設けることができる。この方法においても同様に引張ばね３５が設けられる。
【００４９】
図２４による第８の実施例は再び、ばね区間ａおよびここでも連接板２７から形成される剛体区間ｂ’の組合せに基づいている。参照記号は理解に必要なものだけ準用し、ここでも一部は文章による繰り返しはしない。
【００５０】
しかしこの場合は、第７の実施例で詳しく説明したクリップばねＢを使用している。しかしここでは逆に配置され、クリップアーム３３、３３’は、２の記号の付いたペンチ脚部に回転可能に支持された、剛体区間ｂ’取り付けられるかまたは支持される。ここでは同様にばねの間接的な支持が行われる。クリップアーム３３、３３’の自由折り曲げ端は、 ここでも異なった回転軸によって自己回転可能な剛体区間ｂ’に支持される。ここでもクリップアーム３３、３３’は違う長さであることが分かる。短い方のクリップアーム３３は、ペンチ１の咥え口Ｍにより近い。クリップアーム３３、３３’は、この実施例においてはペンチ１の作動によって、支点１６の回りに旋回する連接板２７である剛体区間ｂ’による操作作用で重なり位置に移動する。操作側の回転軸にここでは１６、１６”の記号を付ける。
【００５１】
第７の実施例および第８の実施例の解決策における回転支点軸の形成は、内側に曲げた互いに重なり合う端部３９、３９’で形成される挿入ピンである(図２３参照)。
【００５２】
クリップ曲り部３３”は図２４による対象では螺旋状に形成される。これは支持穴４０を形成する。この空間に関節位置１５を形成するピンが貫通する。
【００５３】
クリップアーム３３、３３’は湾曲した形状として、連接板２７の回転によって生ずる回転軸１６’、１６”の変位により、クリップアームが予め決められた方向に押し付けられて湾曲して荷重を蓄積することができる。もともとクリップアームに予張力がある場合は、ばね力が作用するのと同様に広がり力が作用する。ペンチに支持された関節点の３つの位置関係を変える移動は復元力を生じさせ、その上予張力も加わって剛体区間ｂ’を基本位置においてペンチ脚部２の回転ストッパ、すなわち支持面１９に保持する。湾曲は少なくとも1つのクリップアームが咥え口Ｍに向かって凹面となるようにする。
【００５４】
図２４に関して、ここでも他のすべての実施例のように咥え口から離れる曲り運動が行なわれることが分かる。図２５は物体がない場合の閉じた咥え口を示す。咥え口Ｍが満たされると、 ３の記号を付けたペンチ脚部は咥え口から離れる方向に変位し、図２５の剛体区間ｂ’は点線で示す位置に変位することは明らかである。点線は参照記号４１を付ける。
【００５５】
第９の実施例はほぼ第８の実施例に対応する。しかしここでは曲り梃子式の解決策に基いたものである。クリップばねＢの動き方は、ペンチ脚部３に支点１５’、１５”を形成する第７の実施例から導入している。ここで、剛体区間ｂ’にクリップばねＢであるばね１４と共同動作するストッパ４２が形成されるように実施する。これは連接板２７の外側に突き出すピンで、クリップばねＢの咥え口Ｍに反対側の面が当たる。クリップ曲り部３３”はここでは膝関節ピン３１となる。物体１８を咥えると、膝関節状の部品であるばね駆動／操作要素１２／１３は咥え口から離れるように曲り、ここでも基本位置では伸びた位置となり曲がりはこの方向にだけ可能である。
【００５６】
開示されたすべての特徴は本発明に対し基本的なものである。 従って、対応する／添付の優先書類（事前出願のコピー）の開示もまたすべて本出願の開示内に含まれるものであり、 その目的のためこれらの書類の特徴もこの出願の請求事項に含まれるものである。
【発明の効果】
本発明により構造的に機能的に改善されたこの種のペンチが得られる。
【図面の簡単な説明】
【図１】第１の実施態様の、ばねの荷重が加わっている基本位置にあるペンチの側面図である。
【図２】図１の関節ボルトの位置を示す拡大図である。
【図３】閉じたペンチの側面図である。
【図４】ペンチの背面図である。
【図５】物体を咥えたペンチの側面図である。
【図６】そのときの関節ボルトの位置を示す拡大図である。。
【図７】ばねの取り付け部の拡大図である。
【図８】図７の線VIII−VIIIによる断面である。
【図９】ばねの側面図である。
【図１０】ばねの平面図である。
【図１１】第２の実施態様の、ばねの荷重が加わった開放位置にあるペンチの側面図である。
【図１２】図１１に示す位置のペンチと反対側の側面図である。
【図１３】このペンチが閉じたものである。
【図１４】物体を咥えたペンチである。
【図１５】このペンチのばねの側面図である。
【図１６】その平面図である。
【図１７】第３の実施態様の、ばねの荷重が加わった開放位置にあるペンチの側面図である。
【図１８】第４の実施態様の、ばねの荷重が加わった開放位置にあるペンチの側面図である。
【図１９】第５の実施態様の、ばねの荷重が加わった開放位置にあるペンチの側面図である。
【図２０】第６の実施態様の、ばねの荷重が加わった開放位置にあるペンチの側面図である。
【図２１】図２０の線XXI−XXIによる拡大断面である。
【図２２】第７の実施態様の、ばねの荷重が加わった開放位置にあるペンチの側面図である。
【図２２ａ】ばねの支えに関する代替案である。
【図２３】ペンチ脚部の案内支点を示したばねの詳細図である。
【図２４】第８の実施態様の、ばねの荷重が加わった開放位置にあるペンチの側面図である。
【図２５】このペンチの物体がなく閉じた状態の側面図である。
【図２６】第９の実施態様の、ばねの荷重が加わった開放位置にあるペンチの側面図である。
【図２７】このペンチの物体がなく閉じた状態の側面図である。
【図１】
0004412851.tif 000002
【図２】
0004412851.tif 000003
【図３】
0004412851.tif 000004
【図４】
0004412851.tif 000005
【図５】
0004412851.tif 000006
【図６】
0004412851.tif 000007
【図７】
0004412851.tif 000008
【図８】
0004412851.tif 000009
【図９】
0004412851.tif 000010
【図１０】
0004412851.tif 000011
【図１１】
0004412851.tif 000012
【図１２】
0004412851.tif 000013
【図１３】
0004412851.tif 000014
【図１４】
0004412851.tif 000015
【図１５】
0004412851.tif 000016
【図１６】
0004412851.tif 000017
【図１７】
0004412851.tif 000018
【図１８】
0004412851.tif 000019
【図１９】
0004412851.tif 000020
【図２０】
0004412851.tif 000021
【図２１】
0004412851.tif 000022
【図２２】
0004412851.tif 000023
【図２２ａ】
0004412851.tif 000024
【図２３】
0004412851.tif 000025
【図２４】
0004412851.tif 000026
【図２５】
0004412851.tif 000027
【図２６】
0004412851.tif 000028
【図２７】
0004412851.tif 000029